(57)【特許請求の範囲】
【請求項１】
球を受け入れない第１状態と球を受け入れる第２状態とに変換可能な可動翼片を取付基板の前面に設けると共に、該取付基板の裏側に凹室を設け、
この凹室内の下部に第１入賞領域を、上部に特別入賞口と一般入賞口とを備える第２入賞領域を夫々形成し、
第１入賞領域の球を第２入賞領域に揚送可能及び揚送不可能にする移送手段を設け、該移送手段は、複数の球を横方向に余裕を持って並べることのできる横幅を有して、順方向と逆方向とに回転可能な回転体によって構成し、
前記第１入賞領域には、可動部材により球を貯留できる状態と貯留できない状態とに可変する球の貯留部を設け、
前記回転体には球を吸着して特別入賞口へ移送可能な第１の磁石と、吸着した球を一般入賞口へ移送可能な第２の磁石とを設けて、
前記回転体が順方向へ回転するときは前記第１の磁石で吸着した球を前記第２入賞領域の特別入賞口へ移送可能とし、
前記回転体が逆方向に回転するときは、前記第１の磁石が放球した球を前記貯留部で貯留するようにした
ことを特徴とするパチンコ機の入賞装置。
【発明の詳細な説明】
【０００１】
【産業上の利用分野】
この発明は、打球を受け入れない第１状態と打球を受け入れる第２状態とに変換可能な可動翼片を備えるパチンコ機の入賞装置に関するものである。
【０００２】
【従来の技術】
周知のように、打球を受け入れない第１状態と打球を受け入れる第２状態とに変換可能な可動翼片を備えるパチンコ機の入賞装置は種々提案されている。この種の入賞装置は、一般に可動翼片によって遊技部と区画可能な入賞領域を有し、該入賞領域に特別入賞口と一般入賞口とを設け、打球が遊技部に設けた始動口へ入球した場合に、可動翼片を回動させて入賞領域へ打球が流入することを許容すると共に、入賞領域へ流入した球が更に特別入賞口に入球した場合に、遊技者に有利な特別ゲームへ移行するように構成してある。そして、この特別ゲームは可動翼片を所定回数開閉するか、または入賞領域へ所定個数流入することを１サイクルとし、特別入賞口への更なる入球により許容される範囲内でサイクルの更新が可能なように設定してある。
しかしながら、この従来のゲームは単純で遊技者に飽きられているのが現状である。
そこで、例えば、実開昭６４−３６７９号公報では、取付基板の裏面に凹室を設け、この凹室内に磁石を設けた回転ドラムを収設して球を揚送可能な移送手段を構成している。
【０００３】
【発明が解決しようとする課題】
しかしながら、上記した従来の改良されたパチンコ機における移送手段は、回転ドラムの回転方向が一方向であり、凹室に流入した球が移送手段の磁石に吸着されて上方に移送されるのみで、球の動的変化が乏しかった。
そこで、本発明は上記に鑑み提案されたもので、通常は移送手段として機能している回転体を逆転させることにより、上記移送手段を貯留手段として機能させることができ、変化に富んだパチンコ遊技が可能な入賞装置を提供することを目的とする。
【０００４】
【課題を解決するための手段】
上記目的を達成するため本発明は、球を受け入れない第１状態と球を受け入れる第２状態とに変換可能な可動翼片を取付基板の前面に設けると共に、該取付基板の裏側に凹室を設け、この凹室内の下部に第１入賞領域を、上部に特別入賞口と一般入賞口とを備える第２入賞領域を夫々形成し、第１入賞領域の球を第２入賞領域に揚送可能及び揚送不可能にする移送手段を設け、該移送手段は、複数の球を横方向に余裕を持って並べることのできる横幅を有して、順方向と逆方向とに回転可能な回転体によって構成し、前記第１入賞領域には、可動部材により球を貯留できる状態と貯留できない状態とに可変する球の貯留部を設け、前記回転体には球を吸着して特別入賞口へ移送可能な第１の磁石と、吸着した球を一般入賞口へ移送可能な第２の磁石とを設けて、前記回転体が順方向へ回転するときは前記第１の磁石で吸着した球を前記第２入賞領域の特別入賞口へ移送可能とし、前記回転体が逆方向に回転するときは、前記第１の磁石が放球した球を前記貯留部で貯留するようにしたものである。
【０００５】
【作用】
移送手段を構成する回転体を正逆回転させることにより、通常は移送手段として機能する回転体を、所定の条件が成立したときに逆転させて貯留手段として機能させることができる。
【０００６】
【実施例】
以下、本発明を図面の実施例について説明すると、図１はパチンコ機１の正面図であって、窓部を有した額縁状の前枠２の一側を外枠３に開閉可能に蝶着し、上記窓部には金枠４を設け、該金枠４の上方部分にはガラスを装着したガラス枠５を開閉可能に軸着し、上記前枠２及びガラス枠５を施錠装置６で施錠可能にする。また、ガラス枠５の下方部分には上皿７ａを設けたフロントプレート７ｂ等からなる上受皿セット７を設け、前枠２の下方部分には下皿８ａや打球の飛距離を調整する操作ハンドル９等を設けた下受皿セット８を設ける。また、上記前枠２の窓部には遊技盤１０を後方から臨ませる。
【０００７】
遊技盤１０にはガイドレール１１で囲まれる遊技部１２を形成し、該遊技部１２のほゞ中央部分に、本発明に係る入賞装置２０を設ける。また、この入賞装置２０の下方には、始動口９１を形成した始動入賞装置９０を設け、中段左右に袖入賞具１３を設ける。更に、遊技部１２の左右にはサイドランプ１４を設けると共に、適宜位置に風車１５や図示していない障害釘を配設する。そして、遊技部１２の最下位置にはアウト口１６を開設する。尚、パチンコ機１の上縁部には外部表示灯１７を設け、上受皿セット７にはスピーカ１８を臨ませて、種々の効果音や不正遊技等に係る異常時には警報を発声する。尚、この効果音等は、遊技の状況に応じて効果音Ａないし効果音Ｈの８種類の効果音を発声可能であると共に、警報としての効果音Ｉを発声するように設定してある。
【０００８】
本発明に係る入賞装置２０の概略は、打球を受け入れない第１状態と打球を受け入れる第２状態とに変換可能な可動翼片２１を取付基板２２の前面に設けると共に、該取付基板２２の裏側に凹室２３を設け、この凹室２３内の下部に第１入賞領域２３ａを、上部に第２入賞領域２３ｂを夫々形成し、第１入賞領域２３ａの打球を第２入賞領域２３ｂに揚送可能及び揚送不可能に回転制御する移送手段を設けると共に、前記第１入賞領域２３ａには打球の貯留手段を設けたものである。
【０００９】
即ち、図２ないし図９に示す実施例においては、開口部を有する取付基板２２の後方に前面側が開口する後方枠体２４を装着して、凹室２３を形成している。尚、この後方枠体２４は着色した透明部材からなり、周囲に配置するランプ２５により内部を照明可能になっている。また、取付基板２２の開口部には後向きに延出する前方枠体２２ａが延設してあり、上記後方枠体２４と共に凹室２３を構成する。
【００１０】
取付基板２２の上方部分には、上向きに開口する天入賞口２６を形成すると共に、当該天入賞口２６の側方に覆い部２７を連設して鎧部２８を形成する。また、上記天入賞口２６及び覆い部２７の前面には、前面飾り２９を添設する。更に天入賞口２６には天入賞口樋２６ａを連設する。
【００１１】
上記鎧部２８の下方には球導入路３０を形成する。この球導入路３０は、取付基板２２の開口部の周囲に内側囲繞壁３１を突設すると共に、球が通過可能な間隔を開けて外側囲繞壁３２を突設し、また上記外側囲繞壁３２の上端部分に、一対の可動翼片２１（以下、羽根２１と略称する）を回動自在に軸着して形成する。尚、以下、この球導入路３０より先の入賞領域を大入賞口という。
【００１２】
内側囲繞壁３１は、開口部の上方及び側方を囲繞して凹室２３を遊技部１２と区画するもので、図示の実施例では、ほゞ逆Ｕ字状に取付基板２２の前面側に突出している。一方、外側囲繞壁３２は、開口部の下方及び側方を囲繞して凹室２３を遊技部１２を区画するもので、ほゞＵ字状に取付基板２２の前面側に突出すると共に、底部は後述する図柄表示装置８０を構成する表示ケース８１の天板部分８２により形成している。また、羽根２１の上端は、閉止状態のときに、鎧部２８の側端、即ち覆い部２７材の側端２７ａに当接し、上記内側囲繞壁３１と外側囲繞壁３２が形成する球導入路３０を閉止する。一方、羽根２１が傾動したときは、当該羽根２１の下縁が外側囲繞壁３２の上縁３２ａに係止して、傾動範囲を規制されている。
【００１３】
上記球導入路３０の途中、内側囲繞壁３１と外側囲繞壁３２が重なる部分には、１０カウントスイッチ３３として機能する球検出器を臨ませる。尚、図示の実施例では、この１０カウントスイッチ３３及び内側囲繞壁３１の前端面を覆うように、上記した前面飾り２９が延出している。
【００１４】
上記一対の可動翼片２１、即ち羽根２１の回動軸３４は、基端側を取付基板２２に設けた軸受部３５ａに装着したカラー３６を介して軸着され、後端側を後方枠体２４に設けた軸受部３５ｂに同じくカラー３６を介して軸着されている。また、回動軸３４の後端には、羽根用クランク３７を設けると共に、該羽根用クランク３７のクランクピン３７ａを羽根用駆動レバー３８の長孔に遊嵌し、更にこの羽根用駆動レバー３８を羽根用ソレノイド３９のプランジャ３９ａに枢着して駆動機構を構成している。尚、羽根用ソレノイド３９は後方枠体２４の背面に適宜突設したボス４０に取り付けたソレノイドモータ取付板４１に止着してある。
【００１５】
従って、羽根用ソレノイド３９が消磁した通常の状態では、羽根２１が起立して球導入路３０の上端部分を塞いでいるので、遊技部１２を流下する球は凹室２３（大入賞口）へ流入できないが、羽根用ソレノイド３９を励磁すると、羽根２１が傾動して球導入路３０の上端部分を開放するので、遊技部１２を流下する球を凹室２３へ取り込むことができる。そして、球導入路３０を通過する球は、途中で１０カウントスイッチ３３を作動させ、底部から凹室２３へ流入することになる。即ち、大入賞口へ入賞する。
【００１６】
大入賞口を構成する凹室２３の内部には、下部に第１入賞領域２３ａを、上部に第２入賞領域２３ｂを夫々形成し、第１入賞領域２３ａの球を第２入賞領域２３ｂに揚送可能及び揚送不可能に回転制御する移送手段を設ける。このため、図示の実施例では、凹室２３のほゞ中段後方に、仕切板４２を設けて第１入賞領域２３ａと第２入賞領域２３ｂを形成している。また、移送手段として磁石４３を埋設した回転体４４を収設している。
【００１７】
下部の第１入賞領域２３ａは、後述する図柄表示装置８０の天板部分８２を底板４５とし、この底板４５は、後方へ向けて緩い下り傾斜を有すると共に、途中で横幅が狭くなっており、この狭幅部４６の左右を落下口４７にして一般入賞口４８を形成している。また、上記狭幅部４６は側縁が下り傾斜しているため、上記左右の一般入賞口４８へ落下し易い。尚、図示の実施例では、天板部分８２の中央部分を若干凹陥させて段部８３を形成すると共に、該段部８３の側縁にリブ８４を起立させて球を狭幅部４６に誘導するようになっている。
【００１８】
一方、第２入賞領域２３ｂは、仕切板４２の上側に位置し、この第２入賞領域２３ｂには、特別入賞口４９と上記落下口４７に連通する一般入賞口４８を形成する。即ち、仕切板４２の後縁に縦方向の仕切壁５０を後方枠体２４から連設することにより、中央に位置する特別入賞口４９と左右の一般入賞口４８とを形成し、各入賞口４９，４８の下方を合流樋５１によって一体化し、前記した第１入賞領域２３ａの一般入賞口４８に入球した球と共に当該入賞装置２０の下方に排出する。尚、合流樋５１に連通する集合樋５２が上記一般入賞口４８の下方に設けてある。
【００１９】
上記特別入賞口４９は特定領域を形成し、この特定領域には後述する役物連続作動装置を作動させる役物連続作動装置スイッチ５３（以下、特別入賞スイッチ５３と略称する）として機能する球検出器を設け、この特別入賞口４９へ入球する球を検出する。
【００２０】
上記した第１入賞領域２３ａと第２入賞領域２３ｂとの間に設ける移送手段は、図示の実施例によれば回転体４４によって構成してある。この回転体４４には磁石４３が埋設してあり、この磁石４３によって第１入賞領域２３ａの球を吸着し、当該回転体４４の後ろ向きの回転により上方に移送し、仕切板４２の上に放球するものである。
【００２１】
回転体４４は、図示の実施例によれば、３個の球を横方向に余裕をもって並べることのできる横幅（軸長）を有している。そして、上記磁石４３は、回転体４４の幅方向のほゞ中央部分に位置して球を特別入賞口４９に移送可能な第１磁石４３ａと、回転体４４の端部付近に位置して球を一般入賞口４８に移送可能な第２磁石４３ｂとがあり、第１磁石４３ａは１個、第２磁石４３ｂは、直径方向に対向して４個配設してある。尚、磁石４３の位置や数は適宜に設定できる。
【００２２】
また、回転体４４の外周面には、適宜な図柄や模様を表示した装飾用シール５４が貼設してある。このシール５４の貼設に際し、図示の実施例では、一部を弦状に欠截した回転体本体４４ａと、この欠截部分に対応する回転体ガイド４４ｂとを、ビス５５により止着して円柱状の回転体４４を構成し、回転体本体４４ａに貼設する回転体シール５４ａの端部及び回転体ガイド４４ｂに貼設するガイドシール５４ｂの端部を、回転体本体４４ａと回転体ガイド４４ｂとの間に挟着させている。このため、シール５４の端部が剥がれることがない。また、回転体本体４４ａの欠截部には凸溝５６を形成し、回転体ガイド４４ｂの平坦部には凹溝５７を形成し、上記凸溝５６と凹溝５７とが嵌合するようになっているので、位置決めが容易である。
【００２３】
上記のような回転体４４は両端に突出する回転軸５８を有し、この回転軸５８を凹室２３の側壁に回転自在に軸着すると共に、一端に従動ギヤ５９を止着する。この従動ギヤ５９を、ソレノイドモータ取付板４１に止着した回転体用モータ６０に設けた駆動ギヤ６１に噛合させる。尚、上記回転体用モータ６０は、正逆回転可能なステッピングモータ等を使用する。また、この回転体４４の回転軸５８もカラー３６を介して軸着してある。
【００２４】
上記回転体４４の下半部分には回転体ガイド部材６２を臨ませる。この回転体ガイド部材６２は、回転体４４の下半部分の後側を覆う円弧部６３と、回転体４４の下方で球を受け止める待機部６４と、上記円弧部６３及び待機部６４を設ける基板部６５とを備え、前記した合流樋５１がこの回転体ガイド部材６２に形成してある。
【００２５】
待機部６４は庇状に延出しており、球が１個待機可能な面積を有している。また、この待機部６４は、前記した底板４５の狭幅部４６よりも若干幅広であると共に、若干下がって位置している。そして、この待機部６４の上面は緩く下り傾斜しており、球が静止することはできない。尚、この待機部６４の後縁部分の中央には、小さなリブ６４ａが設けてあり、球を左右に振り分けている。
【００２６】
そして、上記待機部６４を貯留手段として機能させるために、当該待機部６４の左右から可動部材６６を臨ませる。この可動部材６６は、図示の実施例においては、腕部６６ａの先端に屈曲片６６ｂを有するほゞＬ字状のストッパーであって、腕部６６ａの基端を上記回転体ガイド部材６２の基板部６５に回動自在に軸着してある。尚、この可動部材６６の軸着に際してもカラー３６を介して軸着してある。また、腕部６６ａの裏面側にはガイドピン６６ｃを植設し、このガイドピン６６ｃを基板部６５に開設した弓形孔６５ａに遊嵌させている。
【００２７】
上記可動部材６６の回動軸６７は、後方枠体２４の裏面側にまで延出し、後端にはストッパ用クランク６８を設けると共に、該ストッパ用クランク６８のクランクピンをストッパ用駆動レバー６９の長孔に遊嵌する。また、ストッパ用駆動レバー６９は、ソレノイドモータ取付板４１に止着したストッパ用ソレノイド７０のプランジャ７０ａに枢着する。
【００２８】
そして、上記可動部材６６は、ストッパ用ソレノイド７０が消磁した通常の状態では、腕部６６ａを左右に広げて屈曲片６６ｂを上方に向けた状態にある（図７参照）。この状態では、待機部６４から転出した球Ｐを腕部６６ａの上に保持可能であるが、一般入賞口４８へ落下することもある。
【００２９】
一方、ストッパ用ソレノイド７０を励磁すると、可動部材６６が回動して腕部６６ａが待機部６４の側部に起立し、屈曲片６６ｂの先端がほゞ球１個分の間隔を開けて対峙する（図８参照）。このとき、腕部６６ａで保持した球Ｐを待機部６４に誘導する。また、待機部６４は底板４５の狭幅部４６の後縁よりも若干下方に位置しているので、可動部材６６が閉止した状態では、待機部６４に載った球Ｐを保持することができる。尚、可動部材６６が閉止した状態のときに待機部６４に嵌入する球も同様に保持する。しかし、待機部６４に球Ｐを保持した状態のときに続けて狭幅部４６に進入した球は、先行して保持された球Ｐに進路を邪魔されるので、左右の一般入賞口４８に落下する。
【００３０】
そして、前記した回転体４４が回転すると、保持した球Ｐ、或は進入してきた球を磁石４３で吸着して第２入賞領域２３ｂへ移送することができる。即ち、回転体４４が手前から奥へ（以下、順方向という）回転するときは、各磁石４３に吸着した球を仕切板４２の上方へ運び上げ、回転体４４の更なる回転によって、仕切板４２に球が当接すると、ここで球を放球する。この放球された球は、吸着した磁石４３の位置により、仕切板４２上で振り分けられて特別入賞口４９または一般入賞口４８へ入球する。
【００３１】
一方、回転体４４が奥から手前へ（以下、逆方向という）回転するときは、磁石４３が球を吸着しても、球が直ちに回転体ガイド部材６２の基板部６５に当接するで、球はその場に留まることになる。即ち、可動部材６６が閉止した状態にあっては、待機部６４に載った球を中央の第１磁石４３ａが吸着しても、この球はすぐに基板部６５或はリブ６４ａの前端に当接してしまい、回転体４４の回転に伴って放球される。しかし、可動部材６６が閉止しているので、球は屈曲片６６ｂ及び狭幅部４６の先端に係止して待機部６４上に留まる。即ち、球を貯留しておくことができる。そして、可動部材６６を開放すると、支えを失った球は、一般入賞口４８へ落下する。
【００３２】
前記した凹室２３の下方には、図柄表示装置８０を設ける。この図柄表示装置８０は、例えば、多数のＬＥＤによるドットマトリクス方式による表示器８５を表示ケース８１に収設して構成し、文字、数字、模様等の図柄を表示するものである。
【００３３】
この図柄表示装置８０は、遊技の進行に応じて種々の情報を可視表示すると共に、遊技者に有利な状態、即ち打球を受け入れる第２状態に変換可能な回数を決定するために機能する。これは、後述する遊技の説明において詳しく述べるが、特別入賞スイッチ５３が球の通過によってオンすることにより、図柄の変動表示を開始し、所定時間経過後に停止表示する図柄に応じて、役物連続作動装置の変換回数を最大１６回から最少４回に設定するものである。
【００３４】
また、図示の実施例における入賞装置２０は、取付基板２２を左右に延出することにより、左右の肩入賞口７１を一体に形成している。また、左右に延出した部分には、表示灯７２を設け、前面側には表示レンズ７３が設けてある。このように肩入賞口７１を一体に形成しておけば、遊技盤１０に対する組付工数を削減することが可能で、作業効率を向上させることができる。
【００３５】
更に、入賞装置２０に設けたソレノイドモータ取付板４１の背面側には、中継基板取付台７４を設け、この中継基板取付台７４にコネクタ７５類を列設すると共にプリント配線を施した中継基板を止着する。そして、上記中継基板７６のコネクタ７５を介して、パチンコ機１の制御装置や種々の電気部品等を接続するようになっている。
【００３６】
上記のような入賞装置２０を配設した遊技部１２の下方部分には、始動口９１を形成した始動入賞装置９０を配設する。この始動入賞装置９０は、ベース板９２の左右に第１始動口９１ａを形成すると共に中央に第２始動口９１ｂを形成する。各始動口９１ａ、９１ｂに第１始動口スイッチ９３ａ及び第２始動口スイッチ９３ｂを臨ませ、更に始動口表示灯９４ａ、９４ｂ、９４ｃを形成したものである。
【００３７】
次に、上記のような入賞装置２０を配設したパチンコ機１のゲームを説明する。このパチンコ機１においては、図１０に示すように、電源の投入時から、遊技中の動作に応じて各種の表示灯を点灯或は点滅させて表示すると共に、効果音により遊技状態を遊技者に知らせる。例えば、電源投入時、図柄表示装置８０は、図柄「３」を点滅表示し、入賞装置２０に設けたサイドランプ１４や外部表示灯１７を始めとする種々の表示灯（ランプＬ…）を点滅させる。また、電源の投入により、回転体４４が１回転４秒の周期で順方向へ回転動作を開始する。
【００３８】
また、このパチンコ機１においては、大入賞口に入賞した球に対しては１０個の賞球を排出し、大入賞口以外の入賞口に入賞した球に対しては８個の賞球を排出する。
【００３９】
遊技者が発射した打球が何れかの始動口９１…に入賞した場合には、大入賞口の羽根２１を開放する。即ち、第１始動口９１ａに入賞した場合には、約０．４秒間の開放を１回行い（１回開き）、第２始動口９１ｂに入賞した場合には、約０．５秒間の開放を２回行なう（２回開き）。
【００４０】
羽根２１が開放すると、球導入路３０を通って打球が大入賞口である凹室２３へ入球する。このとき１０カウントスイッチ３３に作用して、大入賞口へ入球する球数をカウントする。
【００４１】
一方、上記各始動口スイッチ９３…がオンすると、回転体４４の回転速度が上がり、１回転２秒となる。尚、回転方向は、順方向のままである。また、羽根２１が閉止した後、約４秒間、特別入賞スイッチ５３（役物連続作動装置）が有効になり、この有効時間が経過後は上記回転体４４の回転速度が１回転４秒に戻る。
【００４２】
また、羽根２１が閉止すると、可動部材６６、即ちストッパーが内側へ傾動して待機部６４を閉止する。尚、この可動部材６６の閉止時間は、第１始動口９１ａの場合は約０．４秒間、第２始動口９１ｂの場合は約０．３秒間に設定してある。
【００４３】
このとき、待機部６４に陥入した球が回転体４４の第１磁石４３ａに吸着されて第２入賞領域２３ｂに移送されると、この球は、仕切板４２の上に放球されて特別入賞口４９に流入する。球が特別入賞口４９に流入して特別入賞スイッチ５３がオンすると、役物連続作動装置が作動すると共に、役物が連続して作動する回数、即ち特別遊技の回数を決定するため、図柄表示装置８０が図柄の変動表示を開始する。尚、役物連続作動装置は、図示していない電気的制御装置によって形成される。
【００４４】
図柄表示装置８０が表示する図柄は５種類あり、例えば「ｈ」、「Ｘ」、「８」、「５」、「３」からなる。そして、所定時間、例えば約７．２秒以上経過すると、図柄の変動が停止し、得られた図柄が「ｈ］の場合は、始動口９１による初回の開放を含めて最高１６回、「Ｘ］の場合は最高１１回、「８」の場合は最高８回、「５」の場合は最高５回、「３」の場合は最高３回に設定してある。
【００４５】
また、図柄の変動速度は、図柄の開始から約１．６秒間は、１図柄当たり、約０．２秒（速度Ａ）、約０．５秒（速度Ｂ）、約１．１秒（速度Ｃ）の何れかであり、その後は、１図柄当たり約０．０４秒（速度Ｄ）になる。更に、変動開始から約４．３秒経過後は、１図柄当たり約０．７２秒（速度Ｅ）または約０．４６秒（速度Ｆ）になる。
【００４６】
更に、図柄の更新は乱数によって行われ、停止図柄決定用の乱数（０〜４）は約４．１ミリ秒毎に１づつ加算して更新し、変動速度用の乱数（０〜７）はプログラムの残り時間に１づつ加算することにより更新する。
【００４７】
そして、停止図柄は、変動表示を開始してから４．３秒経過した時点での停止図柄決定用乱数の数値を読み、この数値に対応する図柄を停止図柄として採用する。尚、乱数の「０」は図柄の「３」に、乱数「１」は図柄の「５」に、乱数「２」は図柄の「８」に、乱数「３」は図柄の「Ｘ」に、乱数「４」は図柄の「ｈ」に、夫々対応する。
【００４８】
図柄の変動表示を開始してから４．３秒経過し、停止図柄が決定すると、決定図柄に応じて変動速度が前記した速度Ｅまたは速度Ｆになる。即ち、決定図柄が「３，５，８，Ｘ」の場合は、変動速度用乱数が「０〜６」のときは速度Ｅに、「７」のときは速度Ｆになり、決定図柄が「ｈ」の場合は、変動速度用乱数が「０」のときは速度Ｅに、「１〜７」の場合は速度Ｆになる。
【００４９】
そして、所定の図柄数だけ変動した後（速度Ｅの場合は４図柄、速度Ｆの場合は１２図柄）決定した停止図柄になるまで変動して停止する。
【００５０】
上記図柄の停止から約０．５秒経過後に図柄の判定を行ない、役物連続装置の作動回数を決定する。即ち、特別遊技を何サイクル行なうかを決定する。
【００５１】
図柄の変動停止後（特別入賞スイッチ５３がオンしてから約１４秒経過後）、大入賞口の羽根２１が新たに１８回の開閉動作を開始する。このとき、可動部材６６が作動すると共に、回転体４４は１回転４秒の回転速度で逆方向に回転する。従って、待機部６４に球を１個貯留可能になる。そして、羽根２１の１８回が開閉するか（約２７秒間経過）、大入賞口（凹室２３）に１０個の入球があると、可動部材６６は作動を停止する。
【００５２】
可動部材６６が作動を停止すると、可動部材６６が外向きに傾動する。また、可動部材６６の停止後、約４秒間は役物連続作動装置の有効時間が設定してある。更に、回転体４４が順方向へ１回転４秒の回転になる。
【００５３】
一方、上記羽根２１の開閉中、羽根２１が１６回開閉するか、または１０カウントスイッチ３３が９個の入球を検出すると、回転体４４の回転方向が逆転して順方向になる。また、回転速度も１回転２秒の高速に変化する。
【００５４】
回転体４４の回転方向が順方向、即ち手前から奥に向って回転すると、可動部材６６によって、待機部６４に貯留した球を第１磁石４３ａによって、仕切板４２の上、即ち第２入賞領域２３ｂへ移送することができる。そして、移送した球は、特別入賞口４９へ再び入賞し、特別入賞スイッチ５３が再びオンする。
【００５５】
特別入賞スイッチ５３が再びオンすると、役物連続作動装置の作動により、大入賞口の羽根２１が直ちに閉止して、約４秒後に新たな開閉動作を開始する。この開閉動作中の可動部材６６及び回転体４４の動作は上記と同様である。即ち、特別遊技のサイクルを更新する。尚、最終回のときは、可動部材６６は作動せず球の貯留は行なわない。
【００５６】
上記のような遊技によれば、回転体４４が所定の条件により正逆回転するので、大入賞口に入球した球を第２入賞領域２３ｂへ移送可能な状態と移送できない状態とを創出することができ、遊技性が増大する。また、回転体４４の回転方向の反転を大入賞口に許容された球数の球がほゞ入球した時点で行なうように設定してあるので、許容された球数の球が大入賞口に入球する前に、次の特別遊技に移ることがないので、遊技者にとって多数の賞球を獲得する可能性があり有利である。一方、遊技店にとっても、出玉の管理が容易になるので有効性が高い。更に、移送手段を貯留手段として機能させることができると共に、貯留した球を第２入賞領域２３ｂへ移送することで遊技に変化を与えることができるので、更に変化に富んだ遊技が可能である。
【００５７】
尚、上記のような遊技が可能なパチンコ機１においては、大入賞口に入球する球を検出する１０カウント回路に、短絡、断線、１０カウントスイッチ３３の移動等、異常を検出したときは、検出と同時に、始動口９１、役物連続作動装置、大入賞口（羽根２１）の開放についての機能を停止する。また、この異常状態を前記した図柄表示装置８０によって可視表示すると共に、効果音Ｉを発声するようになっている。
【００５８】
また、図示の実施例では、可動部材６６の閉止によって待機部６４上の球を保留しているが、待機部６４を緩やかな曲面形状に形成して、回転体４４の逆転のスピードを更に上げるように制御すれば、可動部材６６がなくても、球が落下口４７へ落下する前に磁石４３に吸着させることができ、可動部材６６をなくしても待機部６４上に球を保留しておくことができる。
【００５９】
図１３は他の実施例を示す要部の正面図、図１４は同上の横断面図である。この実施例においては、貯留部を固定部材によって構成してある。即ち、貯留部を、回転体ガイド部材６２に設けた待機部６４の左右側縁に、球１個を貯留可能なようにほゞ球１個分の間隔を開けて対向状に起立させた固定リブ６４ｂにより構成し、待機部６４の上に球１個を貯留可能にしてある。
【００６０】
そして、回転体４４には、上記実施例と同様に磁石４３を埋設し、正逆回転可能に制御する。尚、前記実施例と同じ機能を有する部材には、同一符号を付して説明を省略する。
【００６１】
このような実施例によれば、貯留部に一旦貯留した球Ｐを、確実に特別入賞口４９へ誘導可能になる。
【００６２】
図１５ないし図１７は、更に他の実施例を示し、この実施例においては、特別入賞口４９が移動する。このため、特別入賞口４９を構成する特別入賞スイッチ５３をスライド板１００に止着し、このスライド板１００を後方枠体２４の背面側に設けた上下のガイド溝１０１ａ、１０１ｂに遊嵌している。また、上記スライド板１００には、縦方向のガイド孔１０２を開設し、このガイド孔１０２に駆動カム１０３の偏心位置に設けた駆動ピン１０３ａを遊嵌する。そして、上記駆動カム１０３に、駆動源であるモータ１０４の出力軸１０４ａを連結する。
【００６３】
モータ１０４を回転駆動すると駆動カム１０３が回転し、これに伴ってスライド板１００がガイド溝１０１ａ、１０１ｂに案内されて左右にスライドする。従って、特別入賞口４９が仕切板４２の後縁に沿って、左右に移動することになる。
【００６４】
また、この実施例においては、貯留部に球２個を貯留可能に形成している。このため、回転体ガイド部材６２に設けた待機部６４を前方に延長して球２個が載る大きさに形成すると共に、側縁に球の落下を防止する係止リブ６４ｃを形成してある。
【００６５】
上記のような実施例によれば、特別入賞口４９が左右に移動し、また複数の球を貯留可能であるので、特別入賞口４９へ入賞するチャンスが多くなり遊技性が向上する。また、磁石４３の強さにより、１個毎に吸着したり、或は２個続けて吸着できるので、特別入賞口４９に対する入賞率が高くなる。また、一般入賞口４８への入賞に関しても、回転体４４の左右側部に設けた第２磁石４３に吸着される可能性があり、変化に富んだ遊技が可能になる。
【００６６】
尚、この実施例においても、前記した実施例と同じ機能を有する部材には同一符号を付して説明を省略する。
【００６７】
更に、本発明は貯留部を電磁石によって構成することもできる。即ち、図５に破線で示すように、待機部６４の下面側に電磁石Ａを設けると共に、回転体４４の磁石４３の位置を検出可能な位置検出手段（図示せず）を配設し、上記電磁石Ａのオン・オフ制御を回転体４４との位置関係に基づいて実行することにより、貯留部を構成することができる。
【００６８】
以上本発明を図面の実施例について説明したが、本発明は上記した実施例に限定されるものではなく、特許請求の範囲に記載した構成を変更しない限り適宜に実施できる。例えば、回転体に設ける磁石の位置や数は任意に設定することができ、特別入賞口へ移送可能な磁石を複数（２〜３個）とすることもできる。
【００６９】
【発明の効果】
以上要するに本発明は、球を受け入れない第１状態と球を受け入れる第２状態とに変換可能な可動翼片を取付基板の前面に設けると共に、該取付基板の裏側に凹室を設け、この凹室内の下部に第１入賞領域を、上部に特別入賞口と一般入賞口とを備える第２入賞領域を夫々形成し、第１入賞領域の球を第２入賞領域に揚送可能及び揚送不可能にする移送手段を設け、該移送手段は、複数の球を横方向に余裕を持って並べることのできる横幅を有して、順方向と逆方向とに回転可能な回転体によって構成し、前記第１入賞領域には、可動部材により球を貯留できる状態と貯留できない状態とに可変する球の貯留部を設け、前記回転体には球を吸着して特別入賞口へ移送可能な第１の磁石と、吸着した球を一般入賞口へ移送可能な第２の磁石とを設けて、前記回転体が順方向へ回転するときは前記第１の磁石で吸着した球を前記第２入賞領域の特別入賞口へ移送可能とし、前記回転体が逆方向に回転するときは、前記第１の磁石が放球した球を前記貯留部で貯留するようにしたので、移送手段を構成する回転体が所定の条件により正逆回転するので、大入賞口に入球した球を第２入賞領域へ移送可能な状態と移送できない状態とを創出することができると共に、回転体を見ることにより貯留状態が視認でき、遊技性が増大する。しかも、回転体を反転させることにより、移送手段を貯留手段として機能させることができ、変化に富んだ遊技が可能である。また、回転体の回転方向の反転を大入賞口に許容された球数の球がほゞ入球した時点で行なうように設定したときは、許容された球数の球が大入賞口に入球する前に、次の特別遊技に移ることがないので、遊技者にとって多数の賞球を獲得する可能性がある。一方、遊技店にとっても、出玉の管理が容易になるので有効性が高い。更に、貯留部に貯留した球を第２入賞領域へ移送することで、遊技に変化を与えることができ、更に変化に富んだ遊技が可能で実用的価値が極めて高い。
【図面の簡単な説明】
【図１】パチンコ機の正面図である。
【図２】入賞装置の正面図である。
【図３】入賞装置の側面図である。
【図４】入賞装置の横断面図である。
【図５】入賞装置の縦断面の略図である。
【図６】回転体を示す、（Ａ）は正面図、（Ｂ）は軸方向の断面図、（Ｃ）は直径方向の断面図である。
【図７】可動部材の動作を説明する要部の正面図で、開放状態を示す。
【図８】可動部材の動作を説明する要部の正面図で、閉止状態を示す。
【図９】入賞装置の分解図である。
【図１０】図柄表示装置及び表示灯類並びに効果音の作動状態を説明する図である。
【図１１】始動口関係のタイムチャートであって、（Ａ）は第１始動口を、（Ｂ）は第２始動口を示す。
【図１２】特別入賞口関係のタイムチャートであって、（Ａ）は図柄の変動時間を、（Ｂ）は初回の特別遊技を、（Ｃ）は２回目以降の特別遊技を示す。
【図１３】入賞装置の他の実施例を示す要部の正面図である。
【図１４】同上の横断面図である。
【図１５】入賞装置の更に他の実施例を示す概略縦断面図である。
【図１６】同上における特別入賞口の駆動機構の分解斜視図である。
【図１７】同上の横断面図である。
【符号の説明】
１  パチンコ機
２０  入賞装置
２１  可動翼片
２３ａ  第１入賞領域
２３ｂ  第２入賞領域
４３  磁石
４４  回転体
４８  一般入賞口
４９  特別入賞口
６６  可動部材
【図１】
0003668258.tif 000002
【図２】
0003668258.tif 000003
【図３】
0003668258.tif 000004
【図４】
0003668258.tif 000005
【図５】
0003668258.tif 000006
【図６】
0003668258.tif 000007
【図７】
0003668258.tif 000008
【図８】
0003668258.tif 000009
【図９】
0003668258.tif 000010
【図１０】
0003668258.tif 000011
【図１１】
0003668258.tif 000012
【図１２】
0003668258.tif 000013
【図１３】
0003668258.tif 000014
【図１４】
0003668258.tif 000015
【図１５】
0003668258.tif 000016
【図１６】
0003668258.tif 000017
【図１７】
0003668258.tif 000018